(57)【要約】【課題】折り畳み式テントを提供する。【解決手段】テントキャンバスと、支柱無しの第１アンブレラ構造と、支柱無しの第２アンブレラ構造と、第１アンブレラ構造の第１リブの遠端部と第２アンブレラ構造の第１リブの遠端部とをヒンジ式に接続するように構成された少なくとも一つの第１接続部とを備えた屋根を有する折り畳み式テントであって、折り畳み式テントは、第１アンブレラ構造及び第２アンブレラ構造が開放位置にある設置位置と、第１アンブレラ構造及び第２アンブレラ構造が閉鎖位置にある折り畳み位置とをとることができる。【選択図】図１
2020076301.tif 000002
【特許請求の範囲】
【請求項１】
テントキャンバス（１４）と、
支柱無しの第１アンブレラ構造（１６）であって、第１上方ハブ（１８）と、第１下方ハブ（２０）と、前記第１上方ハブにヒンジ式に接続されるとともに前記テントキャンバスと協働する複数のリブ（２１，２２，２３，２４，２５）と、複数のカウンタリブ（２６，２７，２９，２９，３０）とを含み、前記第１アンブレラ構造の各カウンタリブは、前記第１アンブレラ構造の前記リブの一つにヒンジ式に接続された第１端部と、前記第１下方ハブにヒンジ式に接続された第２端部とを有し、前記第１アンブレラ構造の前記リブと前記カウンタリブとは、前記第１下方ハブが前記第１上方ハブに対して第１移動方向（Ｙ１）に沿って移動可能となるように構成され、前記第１アンブレラ構造は、開放位置と閉鎖位置とをとることができる、第１アンブレラ構造（１６）と、
支柱無しの第２アンブレラ構造（１６’）であって、第２上方ハブ（１８’）と、第２下方ハブ（２０’）と、前記第２上方ハブにヒンジ式に接続されるとともに前記テントキャンバスと協働する複数のリブ（２１’，２２’，２３’，２４’，２５’）と、複数のカウンタリブ（２６’，２７’，２８’，２９’，３０’）とを含み、前記第２アンブレラ構造の各カウンタリブは、前記第２アンブレラ構造の前記リブの一つにヒンジ式に接続された第１端部と、前記第２下方ハブにヒンジ式に接続された第２端部とを有し、前記第２アンブレラ構造の前記リブと前記カウンタリブとは、前記第２下方ハブが前記第２上方ハブに対して第２移動方向（Ｙ２）に沿って移動可能となるように構成され、前記第２アンブレラ構造は、開放位置と閉鎖位置とをとることができる、第２アンブレラ構造（１６’）と、
前記第１アンブレラ構造の第１リブ（２１）の遠端部（２１ａ）と、前記第２アンブレラ構造の第１リブ（２１’）の遠端部（２１’ａ）とをヒンジ式に接続するように構成された少なくとも一つの第１接続部（５１）と、
を備える屋根（１２）を有する折り畳み式テント（１０）であって、
前記折り畳み式テント（１０）は、前記第１アンブレラ構造及び第２アンブレラ構造が前記開放位置にある設置位置と、前記第１アンブレラ構造及び第２アンブレラ構造が前記閉鎖位置にある折り畳み位置とをとることができる、折り畳み式テント。
【請求項２】
前記折り畳み式テント（１０）が前記設置位置にある時、前記第２移動方向（Ｙ２）は前記第１移動方向（Ｙ１）に対して傾斜している、請求項１に記載の折り畳み式テント。
【請求項３】
前記第１アンブレラ構造（１６）と前記第２アンブレラ構造（１６’）は、前記折り畳み式テントが前記設置位置にあって地面上に載置されている時、前記第１接続部（５１）を通過する垂直平面の両側において広げられる、請求項１または２に記載の折り畳み式テント。
【請求項４】
前記第１接続部（５１）は、前記第１アンブレラ構造（１６）及び第２アンブレラ構造（１６’）の前記第１リブ（２１，２１’）の前記遠端部（２１ａ，２１’ａ）を受け入れるように構成される第１シース（５０）を有する、請求項１から３のいずれか一項に記載の折り畳み式テント。
【請求項５】
前記第１アンブレラ構造（１６）の前記第１リブは、第１リブ部（３４）と、第２リブ部（３６）と、前記第１リブ部及び第２リブ部を、前記第１リブ部及び第２リブ部を横断する軸心回りで揺動可能に接続するヒンジ（３８）とを有し、前記第１アンブレラ構造は、当該第１アンブレラ構造が前記設置位置にされた時に、前記第２リブ部を展開位置にし、且つ前記第１アンブレラ構造が前記折り畳み位置にされた時に、前記第２リブ部を折り曲げ位置にするように構成される、請求項１から４のいずれか一項に記載の折り畳み式テント。
【請求項６】
前記ヒンジ（３８）は、前記第２リブ部（３６）が展開される時に、前記第１リブ部（３４）に対する当該第２リブ部（３６）の揺動を制限するように構成されている、請求項５に記載の折り畳み式テント。
【請求項７】
前記設置位置に置かれた時に、前記第１アンブレラ構造（１６）及び第２アンブレラ構造（１６’）によって規定される内容積（Ｖ）を有するものにおいて、前記ヒンジ（３８）は、前記第１アンブレラ構造（１６）がその開放位置からその閉鎖位置へと移動される時に、前記内容積に向けて移動するように構成されている、請求項５または６に記載の折り畳み式テント。
【請求項８】
前記テントキャンバス（１４）は前記ヒンジ（３８）に接続されている、請求項５から７のいずれか一項に記載の折り畳み式テント。
【請求項９】
前記屋根（１２）は、前記第１アンブレラ構造（１６）の第２リブの遠端部と、前記第２アンブレラ構造（１６’）の第２リブの遠端部とをヒンジ式に接続するように構成された少なくとも一つの第２接続部（５３）を有する、請求項１から８のいずれか一項に記載の折り畳み式テント。
【請求項１０】
前記第１アンブレラ構造（１６）及び前記第２アンブレラ構造（１６’）は、それぞれ、前記折り畳み式テントが前記設置位置に置かれた時に、地面上に載置されるように構成された遠端部（２３ａ，２３’ａ，２４ａ，２４’ａ）をそれぞれ有する第３リブ（２３，２３’）と第４リブ（２４，２４’）とを有する、請求項９に記載の折り畳み式テント。
【請求項１１】
前記第１アンブレラ構造（１６）は、前記テントキャンバス（１４）の協働部分と協働する遠端部（２５ａ）を有する第５リブ（２５）を備え、当該第５リブは、前記第１アンブレラ構造の前記第３リブ（２３）及び第４リブ（２４）の長さよりも短い長さを有し、かつ、前記第３リブ（２３）及び第４リブ（２４）間で延出する、請求項１０に記載の折り畳み式テント。
【請求項１２】
前記第１アンブレラ構造（１６）の前記リブ（２１，２２，２３，２４，２５）は、それぞれ、遠端部（２１ａ，２２ａ，２３ａ，２４ａ，２５ａ）を有し、前記テントキャンバス（１４）は前記遠端部（２１ａ，２２ａ，２３ａ，２４ａ，２５ａ）と協働する、請求項１から１１のいずれか一項に記載の折り畳み式テント。
【請求項１３】
前記テントキャンバス（１４）は、周部エッジ（１４ａ）を有し、前記周部エッジ（１４ａ）は、前記第１アンブレラ構造（１６）の前記第３リブ（２３）及び第４リブ（２４）の前記遠端部（２３ａ，２４ａ）に接続されている、請求項１０及び１２に記載の折り畳み式テント。
【請求項１４】
前記第１下方ハブ（２０）は、前記第１上方ハブ（１８）の直径（Ｄ１）よりも小さな直径（Ｄ２）を有する、請求項１から１３のいずれか一項に記載の折り畳み式テント。
【請求項１５】
前記第１上方ハブ（１８）は貫通オリフィス（４４）を有し、前記第１アンブレラ構造（１６）は、前記第１下方ハブに固定されるとともに前記貫通オリフィスを通過する作動要素（４６）を更に有し、これにより、前記リブを展開させるために前記第１下方ハブ（２０）を前記第１上方ハブに近づけるべく、前記作動要素に対して前記折り畳み式テントの外側から引っ張り力を加えることによって、前記第１アンブレラ構造（１６）は、前記開放位置に移動される、請求項１から１４のいずれか一項に記載の折り畳み式テント。
【請求項１６】
前記第２アンブレラ構造（１６’）の前記第１リブは、第１リブ部（３４’）と、第２リブ部（３６’）と、前記第１リブ部及び前記第２リブ部を揺動可能に接続するヒンジ（３８’）とを有し、前記折り畳み式テント（１０）の前記屋根（１２）は、前記第１アンブレラ構造が開放される時に、前記テントキャンバス上で、前記第１アンブレラ構造の前記第３リブの前記遠端部と前記ヒンジとの間において、張力ライン（５６）が形成されるような形状に構成されている、請求項１から１５のいずれか一項と組み合わせた請求項５及び１０に記載の折り畳み式テント。
【発明の詳細な説明】
【技術分野】
【０００１】
本発明は、キャンピング用品の分野に関する。より詳しくは、本発明は、格納位置に対応する折り畳み位置と、使用位置に対応する設置（展開）位置とをとることが可能な折り畳み式テントに関する。
【背景技術】
【０００２】
このタイプのテントは、ハイカーやキャンパによって一般的に使用されている。事実、折り畳み式テントは、迅速に展開または折り畳むことができ、ビバークの設置または迅速な格納を可能にする。
【０００３】
折り畳み式テントは、たとえば、米国特許第３９４１１４０号明細書（特許文献１）に記載されているもの等のように公知である。このテントは、第１サブフレームと第２サブフレームとを有し、これら各サブフレームは、ハブに対して揺動可能に接続された複数のロッドを含む。前記二つのサブフレームは、テントの内部容積を規定するために互いに対して傾斜している二つの矩形を形成する。
【先行技術文献】
【特許文献】
【０００４】
【特許文献１】米国特許第３９４１１４０号明細書
【発明の概要】
【発明が解決しようとする課題】
【０００５】
このテントの欠点は、内部容積が特に小さく、使用者に対して必要な快適性を提供しないことにある。特に、当該折り畳み式テント内に横になったユーザの頭部と足がテントのキャンバスに接触する可能性があり、これは特に不快であり、ユーザが睡眠する能力に影響する。
【０００６】
更に、前記テントをその設置位置にするためには、前記二つのサブフレームを形成するために、ロッドのそれぞれを手動で、対応するハブに枢着することが必要である。これらのロッドは、一つずつ手作業で枢着しなければならない。テントは８本のロッドを有するので、テントの設置は長い時間がかかりやっかいなものとなる。加えて、テントキャンバスによって既に枢着されているロッドにかかる張力により、ロッドを枢着するために出される力は特に大きなものとなりうる。
【０００７】
同様に、このテントを格納するためには、前記サブフレームのそれぞれを折り畳み位置にするために再びロッドを第２の方向に揺動しなければならない。ここでも、ロッドを揺動するための力はかなりのものとなりうる。さらに、各ロッドに到達するためはテントの全周を徐々に移動しなければならず、これは疲れるしテントと迅速に折り畳むことはできない。したがって、テントの格納は時間がかかり複雑で、あまり直感的ではなくユーザに疲労をもたらしうる。
【０００８】
本発明の目的は、上述した諸問題を克服する折り畳み式テントを提案することにある。
【課題を解決するための手段】
【０００９】
この目的を達成するために、本発明は、屋根を有する折り畳み式テントに関し、前記屋根は、
テントキャンバスと、
支柱無しの第１アンブレラ構造であって、第１上方ハブと、第１下方ハブと、前記第１上方ハブにヒンジ式に接続されるとともに前記テントキャンバスと協働する複数のリブと、複数のカウンタリブとを含み、前記第１アンブレラ構造の各カウンタリブは、前記第１アンブレラ構造の前記リブの一つにヒンジ式に接続された第１端部と、前記第１下方ハブにヒンジ式に接続された第２端部とを有し、前記第１アンブレラ構造の前記リブと前記カウンタリブとは、前記第１下方リブが前記第１上方ハブに対して第１移動方向に沿って移動可能となるように構成され、前記第１アンブレラ構造は、開放位置と閉鎖位置とをとることができる第１アンブレラ構造と、
支柱無しの第２アンブレラ構造であって、第２上方ハブと、第２下方ハブと、前記第２上方ハブにヒンジ式に接続されるとともに前記テントキャンバスと協働する複数のリブと、複数のカウンタリブとを含み、前記第２アンブレラ構造の各カウンタリブは、前記第２アンブレラ構造の前記リブの一つにヒンジ式に接続された第１端部と、前記第２下方ハブにヒンジ式に接続された第２端部とを有し、前記第２アンブレラ構造の前記リブと前記カウンタリブとは、前記第２下方リブが前記第２上方ハブに対して第２移動方向に沿って移動可能となるように構成され、前記第２アンブレラ構造は、開放位置と閉鎖位置とをとることができる第２アンブレラ構造と、
前記第１アンブレラ構造の第１リブの遠端部と、前記第２アンブレラ構造の第１リブの遠端部とをヒンジ式に接続するように構成された少なくとも一つの第１接続部（ｊｕｎｃｔｉｏｎ）と、を備え、
前記テントは、前記第１アンブレラ構造及び第２アンブレラ構造が前記開放位置にある設置位置と、前記第１アンブレラ構造及び第２アンブレラ構造が前記閉鎖位置にある折り畳み位置とをとることができる。
【００１０】
ここで、リブの遠端部とは、リブが接続された前記上方ハブの反対側のリブの端部を意味する。
【００１１】
前記第１アンブレラ構造及び第２アンブレラ構造は、好ましくは、同じである。
【００１２】
前記テントキャンバスは、有利には、入り口ドアと通気開口部とを有する。テントキャンバスは、好ましくは、前記第１アンブレラ構造と前記第２アンブレラ構造とに固定される。前記テントキャンバスは、有利には、前記第１アンブレラ構造及び第２アンブレラ構造の前記リブによって支持される。テントキャンバスは、または、前記第１アンブレラ構造の、前記第１上方ハブ、前記第１下方ハブ、および／または、前記リブ、に固定することも可能である。
【００１３】
前記折り畳み位置において、前記テントのすべてのリブとカウンタリブは、テントがバンドル（ｂｕｎｄｌｅ）を形成するように、実質的に平行に延出している。それにより、テントは、円筒形状の格納袋に格納可能となる。
【００１４】
好ましくは、各カウンタリブは、ジョイントによって対応のリブに接続され、それによって当該カウンタリブが前記リブに対して揺動することを可能にする。
【００１５】
非限定的に、前記第１及び第２アンブレラ構造の前記第１リブの前記遠端部を接続する前記第１接続部（ｊｕｎｃｔｉｏｎ）は、ヒンジなどの揺動接続部、あるいは、ボールジョイント接続、から構成することができる。これにより、前記第１リブの揺動、したがって、前記第１及び第２アンブレラ構造の互いに対する揺動が可能となる。前記第１接続部は、また、テントが折り畳み位置にある時に、前記第１及び第２アンブレラ構造を接続する。これによって、これらアンブレラ構造の片方が紛失することが回避される。
【００１６】
前記テントの設置は、前記二つのアンブレラ構造を順次開くことによって行われる。あるいは、これら二つのアンブレラ構造は同時に開くことも可能である。
【００１７】
前記第１アンブレラ構造を前記開放位置にするためには、ユーザは、前記第１下方ハブを前記第１上方ハブに向けて移動させる。この移動は、前記第１下方ハブを、折り畳み式テントの内部から前記第１上方ハブに向けて押すことによって行うことができる。この移動は、また、前記第１下方ハブを、折り畳み式テントの外部から前記第１上方ハブに向けて引くことによっても行うことができる。
【００１８】
前記第１下方ハブを前記第１上方ハブに対して近づけるこの移動は、第１アンブレラ構造の前記リブを前記第１上方ハブに対して揺動して、それによって、それらを前記第１方向からか遠ざけるという作用を有する。
【００１９】
好ましくは、前記第１下方ハブが、前記第１移動方向に対して垂直であり且つ第１アンブレラ構造のリブとカウンタリブの間の接続部を含む平面を超えて通過することによって、前記第１アンブレラ構造は前記開放位置にロックされる。この平面の通過は、ハードポイント通過とも呼ばれる。それは、前記第１アンブレラ構造の前記第１下方ハブとカウンタリブとの間で傾斜角度を反転させ、そして、前記カウンタリブにテンションを与えることによって達成される。前記第１下方ハブがこの平面と前記第１上方ハブとの間に位置する時、前記カウンタリブが広がって、第１下方ハブを押し、それによって、自動的に前記第１上方ハブに向けて移動する。
【００２０】
好ましくは、前記開放位置において、前記第１下方ハブは、前記第１上方ハブに対して押し付けられる。したがって、前記第１アンブレラ構造の前記開放位置は安定した位置となる。
【００２１】
前記第２アンブレラ構造を前記開放位置にする操作方法は、第１アンブレラ構造を開放位置にすることを可能にする操作方法に類似する。これらアンブレラ構造によって、前記リブのそれぞれを同時に展開することが可能であり、したがって、同時にしかも簡単に開放することが可能となる。
【００２２】
前記折り畳み式テントを設置する時は、前記第１接続部は、詳しくは、前記両アンブレラ構造の揺動を可能にし、したがって、それらを互いに対して位置決めすることを可能にする。前記二つのアンブレラ構造の一方が前記開放位置にされるとき、前記第１接続部は、他方のアンブレラ構造の前記移動を案内する。それは、更に、前記第１リブ間の隙間を許容し、それによって、二つのアンブレラ構造の互いに対する位置決めを容易にし、テントが設置された時のこの折り畳み式テントの屋根にダメージを与えうる力を制限する。
【００２３】
詳しくは、前記二つのアンブレラ構造の連続した開放位置決めによって、テントの屋根を自動的に形成し、それによってその内部容積を規定する、ことを可能にする。したがって、本発明によれば、前記折り畳み式テントは、最小限の労力で、前記第１及び第２下方ハブの動きによって、非常にスピーディーに設置することができる。
【００２４】
前記二つのアンブレラ構造は、テントのフレームワークを形成する。前記第１接続部は、有利には、その上にテントキャンバスが位置する前記折り畳み式テントの頂部を形成する。有利には、縦方向から見た時に、前記第１及び第２の上方及び下方ハブは、前記１接続部の下方に、したがって、前記折り畳み式テントの頂部から、延出する。
【００２５】
テントの内部から見ると、前記両アンブレラ構造は、凹状プロファイルを有して、テントの内容積を増大させ、その結果、ユーザの快適性が改善される。
【００２６】
前記テントキャンバスは、有利には、前記第１及び第２アンブレラ構造に対して張力を付与し、折り畳み式テントが地面上に載置された時に、それによってこれら構造が互いに対して固定状態に保持される。
【００２７】
前記折り畳み式テントは、好ましくは、少なくとも３つ、好ましくは、４つの、リブを有し、それらの前記遠端部は、テントが設置された時に、地面上に載置されるように構成され、それによってテントは十分に安定する。
【００２８】
好ましくは、前記折り畳み式テントは、更に、前記テントキャンバスの下方に位置するとともに、前記第１及び第２アンブレラ構造上に配設される内側チャンパを有する。当該内側チャンパは、ユーザを収納するように構成される。
【００２９】
前記テントを折り畳むには、前記二つのアンブレラ構造を順次前記閉鎖位置にすることが必要である。あるいは、前記二つのアンブレラ構造を同時に閉鎖位置にすることができる。
【００３０】
前記第１アンブレラ構造をその折り畳み位置にするためには、ユーザは、前記第１下方ハブを、前記第１上方ハブから、例えば、テントの内部から第１下方ハブを引っ張ることによって、あるいは、テントの外側から第１下方ハブを押すことによって、離間させなければならず、それによって、前記第１下方ハブは上述した平面を、したがって、前記ハードポイント、を再び通過する。
【００３１】
前記第２アンブレラ構造を前記閉鎖位置にすることを可能にする操作方法は、前記第１アンブレラ構造を前記閉鎖位置にすることを可能にする操作方法と類似する。
【００３２】
前記折り畳み式テントが前記折り畳み位置にされると、前記二つのアンブレラ構造は地面上に載置される。その後、ユーザは、それらを、バンドルを形成して、それらを格納バッグに入れるべくまとめることができる。前記複数のリブはストラップによってまとめることができる。
【００３３】
有利には、前記第２移動方向は、前記折り畳み式テントが前記設置位置にある時、前記第１移動方向に対して傾斜している。好ましくは、前記第１移動方向と前記第２移動方向との間の角度は、７０度から１００度であり、より好ましくは、約９０度に等しい。
【００３４】
前記両移動方向は、好ましくは、前記折り畳み式テントが地面上に載置される時、地面に対して傾斜している。さらに、前記第１アンブレラ構造の前記リブとカウンタリブとの間の前記接続部を通過する前記平面も、地面に対して傾斜している。また、前記テントの屋根は、ドームを形成し、ユーザを収納することを可能にする。
【００３５】
有利には、前記二つのアンブレラ構造の一方を前記開放位置にすることによって、他方のアンブレラ構造が、地面に対して揺動し、その結果、他方のアンブレラ構造の地面に対する前記傾斜を自動的に案内する。好ましくは、前記アンブレラ構造のそれぞれは、他方のアンブレラ構造が地面に対して傾斜された状態に維持することを許容する支持体を形成する。
【００３６】
前記設置位置において、前記両移動方向は、有利には、両アンブレラ構造の凹部側の近くに立つユーザの胴体に向けられる。さらに、前記第１及び第２の上方ハブ及び下方ハブは、有利には、ユーザの腰のところで延出する。前記両ハブは、したがって、特にアクセスし易く、それによって、前記第１及び第２アンブレラ構造を、前記開放位置と前記閉鎖位置とにする作業が容易となる。これによって、テントの設置が容易になり、それに伴いうる疲労と肉体的外傷が低減される。
【００３７】
前記折り畳み式テントの折り畳み位置において、前記第１及び第２移動方向は実質的に平行に延出する。
【００３８】
好ましくは、前記第１及び第２アンブレラ構造は、前記折り畳み式テントが前記設置位置にあって地面上に載置されている時、前記第１接続部を通る垂直平面の両側において広げられる。前記垂直平面は、有利には、前記折り畳み式テントの屋根に対する対称平面を形成する。この構造によって地面上でのテントの安定性が改善される。
【００３９】
好ましくは、前記第１接続部は、前記第１及び第２アンブレラ構造の前記第１リブの前記遠端部を受け入れるように構成される第１シースを有する。これは、テントの設置時に、前記第１リブに対して十分な、揺動と互いに対する位置決めのための自由度を提供しつつ、これらの第１リブを接続し案内することを意図するものである。したがって、テントを設置するために費やされる労力がこれによって低減される。前記第１シースは、有利には、前記両第１リブ間のボールジョイント接続を形成する。
【００４０】
前記第１シースは、好ましくは、前記テントキャンバスに、固定、例えば、縫い付けられ、これにより、前記両第１リブは前記テントキャンバスとの協働で折り畳み式テントが展開される時に、テントキャンバスを支持し、テントキャンバスを張る。
【００４１】
非限定的には、前記第１シースは、前記第１アンブレラ構造の前記第１リブの前記遠端部を受けるように構成された第１シース部と、前記第２アンブレラ構造の前記第１リブの前記遠端部を受けるように構成された第２シース部、とを有することができる。
【００４２】
本発明の特に有利な態様によれば、前記第１アンブレラ構造の前記第１リブは、第１リブ部と、第２リブ部と、これら第１及び第２リブ部を、これら第１及び第２リブ部を横断する軸心回りで揺動可能に接続するヒンジとを有し、前記第１アンブレラ構造は、当該第１アンブレラ構造が前記開放位置にされた時に、前記第２リブ部を展開位置へともってゆき、前記第１アンブレラ構造が前記折り畳み位置にされた時には、前記第２リブ部を折り曲げ位置にもっといくように構成される。
【００４３】
前記第１リブと連動する前記カウンタリブは、有利には、前記第１リブの前記第１リブ部と協働する。
【００４４】
前記第１アンブレラ構造の前記開放位置において、前記第１及び第２リブ部は、好ましくは、互いに対してアライメントされ、かつ、連続に延出する。前記折り曲げ位置において、前記第１及び第２リブ部は、好ましくは、互いに対して角度を形成する。前記ヒンジは、前記第１リブ部と第２リブ部との間の揺動接続を形成する。
【００４５】
前記第２リブ部は、前記折り畳み式テントが前記設置位置にある時に、このテントの内部容量を増大させ、その結果、ユーザの快適性が改善される、という利点を有する。この折り曲げ可能な第２リブ部は、更に、折り曲げられた時の折り畳み式テントのコンパクトさを増大させることも可能にする。事実、前記折り曲げ位置において、前記第２リブ部は、前記第１リブ部に対して実質的に平行に延出する。その後、前記第１及び第２リブ部は、互いに対して隣接して延出して、これによって、それをより小さなサイズの格納バッグに格納することを可能にする。
【００４６】
前記第１アンブレラ構造の開放によって、第２リブ部を自動的に展開位置にもってゆくことが可能となる。同様に、前記第１アンブレラ構造の閉鎖によって、第２リブ部を自動的に閉鎖位置にもっていくことが可能となる。ユーザは、手動で第２リブ部を展開する必要はない。したがって、テントの設置がさらに容易になることがわかる。
【００４７】
好ましくは、折り畳み式テントの複数のリブは、そのような第１及び第２リブ部を含む。さらに好ましくは、前記両アンブレラ構造のそれぞれが、そのような第１及び第２リブ部を含む４つのリブを有する。これによって、設置されたテントの容量と折り畳まれたテントのコンパクト性がさらに増大する。この有利な変形例において、前記第２リブ部のそれぞれは、前記アンブレラ構造の開放中に、同時に展開される。
【００４８】
有利には、前記第１上方ハブは、フックなどの取り付け部を有し、前記第１アンブレラ構造の前記第１リブの前記遠端部は、前記第１リブの前記第２部分を前記折り曲げ位置において解除可能に保持するべく前記取り付け部と協働するように構成された弾性材などの固定部材を備えることができる。
【００４９】
有利には、前記ヒンジは、前記第２リブ部が展開される時に、前記第１リブ部に対する前記第２リブ部の揺動を制限するように構成される。前記第１及び第２リブ部が互いの延長で延出する時に、前記第２リブ部の揺動が制限されることが理解される。前記テントキャンバスによって前記第１リブにかかる張力は、有利には、前記第２リブ部を前記展開位置において保持することを可能にする。
【００５０】
前記第２リブ部の前記折り曲げ位置と前記展開位置との間の回転変位は、好ましくは、１７０度と１９０度との間であり、より好ましくは、約１８０度に等しい。前記展開位置において、前記第２リブ部は、前記第１リブ部に連続して延出する。
【００５１】
好ましくは、前記折り畳み式テントは、前記設置位置に置かれた時、前記第１及び第２アンブレラ構造によって規定される内部容積を有し、そして、前記ヒンジは、前記第１アンブレラ構造がその開放位置からその閉鎖位置に向けて移動される時に前記内部容積に向けて移動されるように構成される。換言すると、前記第２リブ部は、前記第１アンブレラ構造が閉鎖される時、前記内部容積の外側へ揺動する。
【００５２】
前記ヒンジの動きは、好ましくは、それ自身の重量で、重力によって行われる。この動きは、前記第１リブ部の遠端部と前記第１上方ハブとを互いに対して近づけようとする。これによって、ユーザは、バンドルを形成するために、前記第１及び第２リブ部を容易にまとめることが可能となり、折り畳み式テントの格納がさらに容易になる。
【００５３】
有利には、前記テントキャンバスは前記ヒンジに接続される。これは、前記第１アンブレラ構造が前記折り畳み位置にされる時に、前記第１リブ部と第２リブ部との間でテントキャンバスを案内して、それによって、テントキャンバスを実質的に、閉鎖された前記第１のアンブレラ構造内に収めることを意図するものである。これによって前記折り畳み式テントのコンパクト性が改善される。
【００５４】
好ましくは、前記屋根は、前記第１アンブレラ構造の第２リブの遠端部と前記第２アンブレラ構造の第２リブの遠端部をヒンジ式に接続するように構成された少なくとも一つの第２接続部（ｊｕｎｃｔｉｏｎ）を有する。
【００５５】
前記第２接続部は、好ましくは、前記第１接続部と同じである。前記テントは、有利には、長手垂直対称面を有し、前記第１及び第２接続部は、この長手垂直対称面のそれぞれのサイドに延出している。前記第１及び第２接続部は、好ましくは、同じ高さで延出し、協働で、前記テントの上方部分を形成する。
【００５６】
前記第２接続部は、好ましくは、第２シースを含む。
【００５７】
好ましくは、前記第１及び第２アンブレラ構造は、それぞれ、第３及び第４リブを有し、これらリブのそれぞれは、前記折り畳み式テントが前記設置位置にされた時に、地面上に載置するように構成された遠端部を有する。これは、たとえ不整地上においてもテントの安定性が確保されることを意図している。したがって、前記第１及び第２リブによって、前記両アンブレラ構造間の接続が可能となり、他方、前記第３及び第４リブは折り畳み式テントの安定性を確保する。
【００５８】
開放されたアンブレラ構造の前記第１及び第２リブの前記遠端部間の距離は、好ましくは、前記アンブレラ構造の前記第３及び４リブの遠端部間の距離よりも小さか、もしくは、それに等しい。
【００５９】
あるいは、前記アンブレラ構造のそれぞれは、その遠端部が、折り畳み式テントが設置された時に、地面上に載置されるように構成された一つのリブのみを有することができる。また、このバリエーションにおいて、折り畳み式テントの二つのリブだけが地面と接触する。これにより、前記折り畳み式テントは、テントの安定性を改善するように構成された安定部材、例えば、ガイロープ（ｇｕｙ  ｒｏｐｅｓ）を備えてもよい。これらのガイロープは、折り畳み式テントの屋根と協働する第１端部と、この第１端部の反対側の、地面に対して固定されるように構成された第２端部、とを備えてもよい。
【００６０】
好ましくは、前記第１アンブレラ構造は、前記テントキャンバスの協働部分と協働する遠端部を備える第５リブを有し、当該第５リブは、前記第１アンブレラ構造の前記第３及び第４リブの長さよりも短い長さを有し、前記第３及び第４リブ間に延出する。
【００６１】
前記第５リブは、前記テントキャンバスの内容積を増大させるべく、前記折り畳み式テントの外側へテントキャンバスを離間移動することを可能にする。これによってユーザの快適性の改善が可能となる。
【００６２】
前記テントキャンバスは、前記第５リブの前記遠端部と協働する。前記テントキャンバス上で、前記第３、第４及び第５リブの間にテンションラインが形成される。これによって、前記第３リブと第４リブとの間に延出する垂直パネルを形成する三角形のテントキャンバスの部分を張ることが可能となる。したがって、テントキャンバスは、この位置においては傾斜されず、これによって、折り畳み式テント内で横たわるユーザの頭部と足がテントキャンバスに触れるのを防止することが可能となる。したがって、ユーザの快適性が改善される。
【００６３】
有利には、前記第１アンブレラ構造の前記リブのそれぞれは、遠端部を有し、前記テントキャンバスはこれら遠端部と協働する。これら遠端部は、好ましくは、テントキャンバスに固定される。有利には、前記テントキャンバス上の、前記第１アンブレラ構造の前記リブの前記遠端部間に、張力ラインが形成される。これは風によってテントキャンバスが移動することを防止するためにこのテントキャンバスを張ることを意図している。これは特に、テントのユーザに対する騒音汚染を低減する。さらに、前記テントキャンバスによって、前記リブに張力を与えてそれらを凸状にすることを可能にする。
【００６４】
有利には、前記テントキャンバスは、また、前記第２アンブレラ構造の前記リブの遠端部と協働する。
【００６５】
好ましくは、前記テントキャンバスは、更に、前記第１上方ハブにも接続されている。また、前記テントキャンバス上で、前記第１アンブレラ構造の前記リブの遠端部と前記第１上方ハブとの間に張力ラインが形成される。前記第１アンブレラ構造の単数または複数のリブが互いにヒンジ止めされた第１及び第２リブ部を含む実施例において、このテンションによって、前記第１アンブレラ構造が開くと、前記第２リブ部を自動的に展開位置にもってゆくことが可能となる。これは前記第２アンブレラ構造にも当てはまる。
【００６６】
有利には、前記テントキャンバスは、周部エッジを有し、この周部エッジは、前記第１アンブレラ構造の前記第３及び第４リブの遠端部に接続されている。したがって、前記周部エッジは部分的に地面近くへと延出し、テントキャンバスは、前記第１及び第２アンブレラ構造をほとんど完全にカバーする。
【００６７】
前記第１アンブレラ構造が第５リブを含む時、前記周部エッジを地面から遠ざけて通気口を形成するために、前記テントキャンバスの前記周部エッジをこの第５リブに接続させることができる。あるいは、前記第５リブのテントキャンバスとの連動部分を、前記周部エッジとは別にすることも可能である。
【００６８】
好ましくは、前記第１上方ハブは、貫通オリフィスを有し、前記第１アンブレラ構造は、更に、前記第１下方ハブに固定されるとともに前記オリフィスを通過する作動要素を有し、これにより、前記第１アンブレラ構造は、折り畳み式テントの外側から前記作動要素に対して引っ張り力をかけることによって開放位置にもってゆかれ、前記リブを展開するべく、前記第１下方ハブを前記第１上方ハブに近づけることができる。
【００６９】
好ましくは、前記作動要素は、前記第１下方ハブに固定されたコードである。前記折り畳み式テントを設置位置にもってゆくために、ユーザはこのコードを引っ張り、それによって前記リブを展開させる。
【００７０】
好ましくは、前記第１下方ハブは、前記第１上方ハブの直径よりも小さな直径を有する。これは、第１アンブレラ構造のリブを互いから離間させて、それによって第１下方ハブが第１上方ハブに対して移動することを容易にすることを意図している。
【００７１】
好ましくは、前記第２アンブレラ構造の前記第１リブは、第１リブ部と、第２リブ部と、これら第１及び第２リブ部を揺動可能に接続するヒンジとを有し、前記折り畳み式テントの前記屋根は、前記第１アンブレラ構造が開放された時に、テントキャンバス上の、前記第１アンブレラ構造の前記第３リブの遠端部と前記ヒンジとの間に張力ラインが形成されるような形状に構成されている。これは、第１アンブレラ構造のみが開放されている時に、前記第１アンブレラ構造の第１リブの遠端部を地面の上方に維持することを意図している。換言すると、このテンションラインによって、第１アンブレラ構造のみが開放されている時に、この第１アンブレラ構造を地面に対して傾斜した状態に維持することを可能にする。
【００７２】
この傾斜により、第２アンブレラ構造は、第１アンブレラ構造が開いた時、この第１アンブレラ構造を容易に上方に押し上げ、それによって第１アンブレラ構造を地面に対して、その最終傾斜に向けて揺動させる。
【図面の簡単な説明】
【００７３】
【図１】折り畳み位置にある状態の、本発明の折り畳み式テントを図示している。
【図２】図１の折り畳み式テントの側面図を示し、第２リブ部が展開されている。
【図３】第１アンブレラ構造が中間位置にある状態の、図２の折り畳み式テントを示している。
【図４】第１アンブレラ構造が開放位置にある状態の、図３の折り畳み式テントを示している。
【図５】設置位置にある、図４の折り畳み式テントを示している。
【図６】図５の展開された折り畳み式テントの側面図を示している。
【図７】図６の折り畳み式テントの平面図を示している
【図８】図５の折り畳み式テントの、テントキャンバスが見える状態を示している。
【発明を実施するための形態】
【００７４】
本発明は、添付の図面を参照して、非限定的具体例として提供される、本発明の一実施例を読むことによってより良く理解されるであろう。
【００７５】
本発明は、二つのアンブレラ構造を有し、格納位置に対応する折り畳み位置と使用位置に対応する設置位置とをとることができる折り畳み式テントに関する。
【００７６】
図１は、本発明による折り畳み式テント１０をその折り畳み位置にある状態で図示している。
【００７７】
前記折り畳み式テント１０は、テントキャンバス１４と、第１アンブレラ構造１６と、第２アンブレラ構造１６’とからなる屋根１２を有する。読解の容易性のために、前記テントキャンバス１４は、図１に示されていないが、図８に図示されている。
【００７８】
この図１に見られるように、前記第１アンブレラ構造１６は、第１上方ハブ１８と、第１下方ハブ２０と、前記第１上方ハブ１８にヒンジ接続された複数のリブとを有する。より詳しくは、前記第１アンブレラ構造１６は、第１リブ２１と、第２リブ２２と、第３リブ２３と、第４リブ２４と、第５リブ２５とを有する。この非限定的具体例では、これらのリブは前記第１上方ハブ１８に対して揺動可能に取り付けられている。
【００７９】
前記第１アンブレラ構造１６は、更に、第１カウンタリブ２６と、第２カウンタリブ２７と、第３カウンタリブ２８と、第４カウンタリブ２９と、第５カウンタリブ３０とを有する。これらカウンタリブのそれぞれは、第１端部２６ａ，２７ａ，２８ａ，２９ａ，３０ａと、当該第１端部の反対側の第２端部２６ｂ，２７ｂ，２８ｂ，２９ｂ，３０ｂとを有する。前記第１カウンタリブ２６と、第２カウンタリブ２７と、第３カウンタリブ２８と、第４カウンタリブ２９と、第５カウンタリブ３０の第１端部は、それぞれ、接続部（ｊｏｉｎｔｓ）３２によって、前記第１リブ２１と、第２リブ２２と、第３リブ２３と、第４リブ２４と、第５リブ２５とに、それぞれヒンジ接続されている。前記第１、第２、第３、第４及び第５カウンタリブの第２端部は、前記第１下方ハブ２０にヒンジ接続されている。この非限定的具体例では、前記カウンタリブ２６，２７，２９，２９，３０は、前記第１下方ハブ２０と、前記リブとに揺動可能に接続されている。
【００８０】
図２に図示されているように、前記第１アンブレラ構造の前記リブと前記カウンタリブとは、前記第１下方ハブ２０が、第１移動方向Ｙ１において前記第１上方ハブ１８に対して並進（ｔｒａｎｓｌａｔｉｏｎ）移動可能となるように構成されている。前記第１アンブレラ構造１６は、支柱無しアンブレラ構造を形成する。
【００８１】
前記第１アンブレラ構造１６の前記第１リブ２１、第２リブ２２、第３リブ２３、および第４リブ２４は、それぞれ、第１リブ部３４、第２リブ部３６、そしてこれら第１及び第２リブ部を揺動可能に接続するヒンジ３８を有している。前記ヒンジ３８は、前記第２リブ部３６が、前記第１及び第２リブ部を横断する軸心に沿って前記第１リブ部３４に対して揺動するように構成されている。前記第２リブ部３６は、図２に図示されているように、第１リブ部３４に連続して延出する展開位置をとることができる。前記第２リブ部３６は、また、図１に図示されているように、前記第１リブ部３４に対して角度を形成する折り曲げ（折り畳み）位置をとることもできる。
【００８２】
前記ヒンジ３８は、前記第２リブ部が前記展開位置にもってこられた時に、これら第２リブ部３６の前記第１リブ部３４に対する揺動を制限するように構成されている。前記第２リブ部３６の揺動変位は、前記折り曲げ位置と前記展開位置との間で約１８０度の揺動変位である。
【００８３】
図１に図示されている前記折り畳み式テント１０の前記折り畳み位置において、前記第２リブ部３６は前記折り曲げ位置にある。
【００８４】
前記第１アンブレラ構造の前記第５リブ２５は、第１リブ部３４を有するが、第２リブ部を有しない。また、前記第５リブ２５は、他のリブ２１，２２，２３，２４よりも短い長さを有する。前記第５リブ２５は、前記第１アンブレラ構造１６の前記第３及び第４リブ２３，２４の間で延出している。
【００８５】
図２において、前記第１上方ハブ１８は、前記第１下方ハブ２０の直径Ｄ２よりも大きな直径Ｄ１を有し、かつ、これら第１上方ハブ１８と第１下方ハブ２０とは同軸であることがわかる。
【００８６】
前記第２リブ部３６が展開されている図２において、前記第１下方ハブ２０は長手部分４０を有していることがわかる。前記第１下方ハブ２０は、また、前記長手部分４０の頂部に位置する支持部４２を形成する端部を有する。前記第１上方ハブ１８は、また、前記第１上方ハブ１８のいずれかの側において軸心方向に開口する貫通オリフィス４４を有する。
【００８７】
その開放を可能にするために、前記第１アンブレラ構造１６は、更に、作動要素を形成するコード４６を有し、コード４６は前記第１下方ハブ２０に固定されるとともに、前記貫通オリフィス４４を通過している。前記コード４６は、前記第１下方ハブ２０の前記支持部４２に固定され、前記第１上方ハブ４４を通過し、更に、第１グリップリング４８を備えた端部を有している。
【００８８】
前記第１アンブレラ構造１６は、開放位置と閉鎖位置とにセットすることができる。図１に図示されている前記テントの折り畳み位置において、前記第１アンブレラ構造１６は前記閉鎖位置にある。
【００８９】
前記第２アンブレラ構造１６’は、前記第１アンブレラ構造１６と同様であり、第２下方ハブ２０’と、第２上方ハブ１８’と、複数のリブとカウンタリブとを有する。より詳しくは、前記第２アンブレラ構造１６’は、第１リブ２１’と、第２リブ２２’と、第３リブ２３’と、第４リブ２４’と、第５リブ２５’、そして、第１カウンタリブ２６’と、第２カウンタリブ２７と’、第３カウンタリブ２８と’、第４カウンタリブ２９’と、第５カウンタリブ３０’とを有する。前記カウンタリブは、接続部３２’によって、前記第２下方ハブ２０’と、前記リブとに接続されている。前記第２下方ハブ２０’は、第２移動方向Ｙ２に沿って、前記第２上方ハブ１８’に対して並進移動可能である。前記第２アンブレラ構造１６’の前記第１、第２、第３、および第４リブは、それぞれ、ヒンジ３８’によって互い接続された、第１リブ部３４’と第２リブ部３６’を有している。前記第２下方ハブは、支持部４２’を有する。前記第２アンブレラ構造１６’は、更に、第２グリップリング４８’を備えるとともに、前記第２下方ハブ２０’に接続された第２コード４６’を有する。前記第２アンブレラ構造１６’は、また、開放または閉鎖することができる。
【００９０】
図１において、前記折り畳み式テント１０が前記折り畳み位置にあり、前記第１及び第２アンブレラ構造１６，１６’が、閉鎖位置にあることがわかる。前記二つのアンブレラ構造１６，１６’の前記第２リブ部３６，３６’は折り曲げ位置にあって、それにより、前記第１リブ部３４，３４’と第２リブ部３６，３６’のセットは実質的に、ともに、前記第１及び第２移動方向Ｙ１，Ｙ２に対して平行に延出している。
【００９１】
前記第１アンブレラ構造１６の前記第１リブ２１は、前記第１上方ハブ２０の反対側の遠端部２１ａを有している。同様に、前記第２アンブレラ構造１６’の前記第１リブ２１’は、前記第２上方ハブ２０’の反対側の遠端部２１’ａを有している。前記第１及び第２アンブレラ構造１６，１６’の前記第１リブ２１，２１’の前記遠端部２１ａ，２１’ａは、前記テントキャンバス１４に縫い付けられた第１シース５０において係合している。この第１シース５０は、前記第１リブ２１，２１’を互いに接続しヒンジ止めすることを可能にし、それによって、これらの第１リブが互いに対して揺動することを可能にする。また、前記第１シース５０は、第１接続部５１を形成する。さらに、この第１シース５０によって、前記第１リブ２１，２１’は、テントキャンバス１４を支持する。
【００９２】
同様に、前記第１及び第２アンブレラ構造１６，１６’の前記第２リブ２２，２２’は、それぞれ遠端部２２ａ，２２’ａを有する。これら遠端部２２ａ，２２’ａは、第２シース５２において係合している。したがって、前記第２リブは、互いに対して揺動可能であり、かつ、テントキャンバスと協働するようにテントキャンバス１４を支持することができる。前記第２シース５２は、第２接続部５３を形成する。
【００９３】
前記テントキャンバス１４は、前記二つのアンブレラ構造１６，１６’のそれぞれの、前記第１及び第２上方ハブ１８，１８’と、前記接続部３２，３２’と、前記第１リブ２１，２１’、第２リブ２２，２２’、第３リブ２３，２３’及び第４リブ２４，２４’の前記遠端部と、において二つのアンブレラ構造１６，１６’に接続されている。
【００９４】
図３ないし５は、折り畳み式テント１０の設置位置への配置を図示している。これを行うために、前記第１及び第２アンブレラ構造１６，１６’は、順次、それらの閉鎖位置から開放位置へと移動される。
【００９５】
この非限定的具体例においては、前記第１アンブレラ構造１６がまず開放位置へ移動され、その後、第２アンブレラ構造１６’が移動される。ユーザは、折り畳み位置に置かれた折り畳み式テント１０の横に立ち、前記第１グリップリング４８を使用して、第１コード４６を自分の方に向けて引っ張る。この引っ張りによって、前記第１下方ハブ２０を前記第１移動方向Ｙ１に沿って移動させ、それを、図３に図示されているように、前記第１上方ハブ１８に近づける。
【００９６】
前記第１アンブレラ構造１６の前記カウンタリブ２６，２７，２９，２９，３０は、前記第１下方ハブ２０の移動を案内する。前記第１下方ハブ２０の前記移動に対して平行に、前記カウンタリブは前記第１アンブレラ構造１６の前記リブ２１，２２，２３，２４，２５の前記第１リブ部３４に対して力を加え、それらを互いから離間移動させようとする。前記第１リブ部３４と、これらを前記第２リブ部３６に対して接続する前記ヒンジ３８とは、互いから離間移動し、前記第１アンブレラ構造１６の外側へ揺動する。
【００９７】
前記第１上方ハブ１８の直径Ｄ１が前記第１下方ハブ２０の直径Ｄ２よりも大きい限り、前記リブを互いから離間移動させ前記第１下方ハブを前記第１上方ハブに向けて移動させることが容易になる。
【００９８】
図３ないし図５の推移によって図示されているように、前記カウンタリブは共に、前記リブとカウンタリブとの間の前記接続部３２を通過するとともに前記第１移動方向Ｙ１に対して垂直な平面Ｐを交差する。カウンタリブによるこの平面Ｐの交差は、ハードポイントの交差とも称される。前記第１下方ハブ２０は、ユーザによって操作される労力無しでは前記平面Ｐを交差することができないので、第１下方ハブ２０は、安定した位置で前記第１上方ハブ１８と接触される。前記第１下方ハブ２０の前記長手部分４０は、前記第１上方ハブ１８の前記オリフィス４４を通過し、前記第１下方ハブ２０の前記支持部４２は前記折り畳み式テント１０から外部に突出する。
【００９９】
前記テントキャンバス１４が、前記第１上方ハブ１８と、前記ヒンジ３８のそれぞれと、前記第１リブ２１、第２リブ２２、第３リブ２３及び第４リブ２４の遠端部と、に接続されている限り、前記テントキャンバスは、前記第１アンブレラ構造１６の開放中に張力をかけられる。さらに、前記テントキャンバスは、前記第１上方ハブ１８と前記リブのそれぞれの前記遠端部との間において前記リブに対して張力を加える。
【０１００】
その結果、前記第２リブ部３６は、それらの展開位置に向けて自動的に揺動される。前記ヒンジ３８は、図３から図４への経過によって示されているように、前記第２リブ部３６が前記第１リブ部３４と連続した位置にある時に、この揺動を制限する。さらに、前記テントキャンバス１４が前記第２リブ部３６に力を加えてこれらが不意に折り畳まれることを防止する。したがって、前記第２リブ部３６は、前記第１アンブレラ構造１６の開放中に自動的に展開位置へと移動され、この展開位置に、前記テントキャンバス１４によって前記リブに加えられる張力によって保持される。
【０１０１】
更に、前記テントキャンバス１４の張力付与によって、前記第１アンブレラ構造１６のリブを湾曲状態に維持することが可能となる。したがって、展開された前記第１アンブレラ構造１６は、折り畳み式テント１０の内側から見て凸状の形状を有する。
【０１０２】
前記第１アンブレラ構造１６は、その後、そのリブが互いから完全に離間する開放位置に置かれる。したがって、前記折り畳み式テント１０は、図４に図示されている中間位置におかれ、ここでは、第２アンブレラ構造１６’が常に閉鎖されているのに対して、第１アンブレラ構造１６は開放される。
【０１０３】
その後、作業者は、前記第２アンブレラ構造１６’を開放することができる。これを行うためには、前記第２上方ハブ１８’に向く前記折り畳み式テント１０の他方側に立って、第２アンブレラ構造の前記第２コード４６’を引っ張ることが適切である。
【０１０４】
前記第２アンブレラ構造１６’の開放は、第１アンブレラ構造１６の開放に類似する。詳しくは、前記第１リブ２１，２１’及び第２リブ２２，２２’をヒンジ式に接続する前記第１及び第２シース５０，５２が第１アンブレラ構造１６の第１リブ２１及び第２リブ２２の、前記第２アンブレラ構造１６’の第１リブ２１’及び第２リブ２２’への相対的揺動を可能にする。これによって、折り畳み式テント１０を形成するために、前記第１アンブレラ構造と第２アンブレラ構造とを、互いに対して位置決めすることが可能である。
【０１０５】
更に、前記テントキャンバス１４は、前記第２上方ハブ１８’のみならず前記ヒンジ３２’と、前記第２アンブレラ構造１６’の前記リブの遠端部とにも接続されている。さらに、前記テントキャンバス１４は、有利には、第２アンブレラ構造１６’の前記第１及び第２リブ２１’，２２’のヒンジ３８’と、前記第１アンブレラ構造１６の前記第３リブ２３と第４リブ２４の遠端部２２ａ，２４ａのそれぞれの間においてテントキャンバス１４に張力ライン５６が形成されるような形状に構成される。これらの張力ラインは、折り畳み式テント１０のこの中間位置において、第１アンブレラ構造と前記平面Ｐを地面に対して傾斜した状態に維持することを可能にする。また、図４に図示されているように、前記第１アンブレラ構造１６の前記第３及び第４リブ２３，２４は地面上に載置されるのに対して、第１アンブレラ構造の前記第１リブ２１と第２リブ２２は地面に接触しない。
【０１０６】
この構成により、図４から図５の推移によって図示されているように第２アンブレラ構造１６’が開放位置にされたとき、前記第２アンブレラ構造の前記第１リブ２１’と前記第２リブ２２’とが、第１アンブレラ構造１６の第１リブ２１と第２リブ２２に対して上向きの押し力を加える。この力は、、図５に図示されているように、前記第１アンブレラ構造を、折り畳み式テント１０の自動的成形を可能にする最終傾斜にするべく、前記第１アンブレラ構造を更に揺動しようとする。さらに、前記第１アンブレラ構造１６が第２アンブレラ構造１６’を支持し、反対に第２アンブレラ構造１６’が第１アンブレラ構造１６を支持する。その後、折り畳み式テント１０は展開される。
【０１０７】
本発明の範囲から逸脱することなく、前記第２アンブレラ構造１６’を第１アンブレラ構造１６よりも前に開放することも可能である。
【０１０８】
折り畳み式テント１０の設置位置において、前記テントキャンバス１４は内部容積Ｖを規定する。前記第１アンブレラ構造の前記接続部を通過する前記平面Ｐは、地面に対して、およそ４５度に等しい角度で傾斜している。前記第１及び第２移動方向Ｙ１，Ｙ２が地面に対しておよそ４５度に等しい角度で傾斜していることがわかる。それらは、互いに対して、およそ９０度に等しい角度αでさらに傾斜している。これにより、前記折り畳み式テント１０はキャンパを格納可能なドーム形状を有する。
【０１０９】
前記折り畳み式テントは、更に、前記テントキャンバスの下に配置されるとともに、前記第１及び第２アンブレラ構造１６，１６’に取り付けられた内側チャンパ（図示せず）も有する。この内側チャンパは、前記ユーザを収納するように構成される。
【０１１０】
図６は、本発明による前記折り畳み式テント１０の側面図であって、ここでは前記テントキャンバス１４が図示されている。前記テントキャンバスは、前記第１及び第２アンブレラ構造１６，１６’の前記第３リブ２３，２３’と第４リブ２４，２４’の遠端部２３ａ，２３’ａ，２４ａ，２４’ａと作動する周部エッジ１４ａを有していることがわかる。さらに、前記第１及び第２アンブレラ構造１６，１６’の前記第５リブ２５，２５’の遠端部２５ａ，２５’ａは、それぞれ、前記テントキャンバスの前記周部エッジ１４ａとは別の前記テントキャンバス１４の協働部１５，１５’と協働する。また、前記第５リブは、前記テントキャンバスから離間して前記内部容量Ｖを増大させる。テントキャンバス１４には、縦三角パネル５４、５４’が形成されている。前記第５リブ２５，２５’は、テントキャンバスが、テント内に横たわるユーザの頭部または足に接触することを防止し、それによってその快適性を改善する。
【０１１１】
本発明によれば、前記折り畳み式テント１０は、前記第１及び第２アンブレラ構造を開放するだけで、非常に迅速に設置位置にすることが可能である。
【０１１２】
図６からわかるように、前記テントキャンバス１４上で、第１アンブレラ構造１６の第３リブ２３の遠端部２３ａと第２アンブレラ構造１６’の第１リブ２１’のヒンジ３８’との間に形成される前記張力ライン５６は、別々の第１、第２、および第３セグメント５６ａ，５６ｂ，５６ｃを有する。これら三つのセグメントは、開口部、例えばドア、が、前記テンションライン５６がこのドアを交差することなく、テントキャンバス１４に形成されることが可能となるように、構成されている。より詳しくは、前記第１セグメント５６ａと第３セグメント５６ｃは、実質的に平行であり、他方、前記第２セグメント５６ｂは実質的に水平に延出している。前記第２アンブレラ構造１６’の前記第３リブ２３’の遠端部２３ａ’と前記第１アンブレラ構造１６の前記第１リブ２１のヒンジ３８との間には別の張力ラインも形成されている。
【０１１３】
図７は、前記折り畳み式テントの平面図である。
【０１１４】
図８は、設置位置にある前記折り畳み式テント１０を図示し、ここではテントキャンバス１４がみられる。前記第１及び第２アンブレラ構造の前記第３リブ２３，２３’と第４リブ２４，２４’が地面上に載置されている。
【０１１５】
前記折り畳み式テント１０を折り畳むには、ユーザは、前記第１及び第２アンブレラ構造１６，１６’を順次閉鎖位置にしなければならない。これを行うためには、前記第１及び第２下方ハブ２０，２０’の前記支持部４２，４２’を作動させる必要がある。当該支持部４２，４２’は、折り畳み式テント１０の外側からアクセス可能となるように、前記テントキャンバス１４を貫通している。
【０１１６】
ユーザが前記第１下方ハブ２０の支持部４２に対して折り畳み式テント１０の外側から圧力を加えると、この圧力は、前記第１移動方向Ｙ１に沿って向けられる。これにより、前記第１下方ハブ２０は、前記第１上方ハブ１８から離間移動され、前記平面Ｐを超える。前記第１アンブレラ構造の前記リブ２１，２２，２３，２４，２５は、互いに引き寄せられる。それら自重と、前記第１アンブレラ構造の重さとにより、前記第１アンブレラ構造の前記リブの前記ヒンジ３８は折り畳み式テントの内容量Ｖに向けて移動され、これに対して、前記第２リブ部３６は、折り畳み式テントの外側へ前記第１上方ハブ１８に向けて揺動される。従って、前記第２リブ部３６は、前記第１アンブレラ構造１６の閉鎖時に、自動的に折り曲げられる。第１アンブレラ構造１６は閉鎖位置にされる。
【０１１７】
これと並行して、前記第２アンブレラ構造１６’が揺動してその第１リブ２１’と第２リブ２２’の遠端部が地面に近づけられる。
【０１１８】
同様に閉鎖位置へと移動される前記第２アンブレラ構造１６’についても同じ操作が繰り返される。これにより、折り畳み式テントは、図１に図示されているように、折り畳み位置となり、バンドルを形成する。その後、折り畳み式テントは格納バッグに容易に格納することができる。
【０１１９】
本発明の範囲から逸脱することなく、前記第２アンブレラ構造１６’は、前記第１アンブレラ構造１６の前に閉鎖されることも可能である。
【図１】
2020076301.tif 000003
【図２】
2020076301.tif 000004
【図３】
2020076301.tif 000005
【図４】
2020076301.tif 000006
【図５】
2020076301.tif 000007
【図６】
2020076301.tif 000008
【図７】
2020076301.tif 000009
【図８】
2020076301.tif 000010
【外国語明細書】
2020076301000001.pdf
2020076301000002.pdf
2020076301000003.pdf
2020076301000004.pdf